(57)【要約】【課題】めかぶや納豆等のたれをかけて食べる食品を収容する容器において、めかぶや納豆等の主内容物とたれを封入した袋を非接触としながらも、たれを封入した袋または主内容物を容易に取り出すことができる容器を提供する。【解決手段】容器１００は、２層のフィルム１２２，１２４が積層されてなる蓋１２０の外周とトレー１１０の開口端をヒートシールして形成され、蓋１２０の２層のフィルム１２２，１２４の少なくとも一方には、切込み１２８が形成され、トレー１１０の内部に第１の内容物１０を収容し、蓋１２０の２層のフィルム１２２，１２４の間に第２の内容物２０を収容する。【選択図】図１
0003127633.tif 000002
【実用新案登録請求の範囲】
【請求項１】
２層のフィルムが積層されてなる蓋の外周とトレーの開口端とがヒートシールして形成され、
前記蓋の２層のフィルムの少なくとも一方には、切込みが形成されてなり、
前記トレーの内部に第１の内容物が収容され、
前記蓋の２層のフィルムの間に第２の内容物が収容されることを特徴とする
容器。
【請求項２】
前記切込みは、
直線状の切込みであることを特徴とする、
請求項１に記載の容器。
【請求項３】
前記切込みは、
前記蓋の一端から他端に向けて連続する直線状の切込みであることを特徴とする、
請求項１に記載の容器。
【請求項４】
前記切込みは、
前記蓋の一端から他端の間の一部において連続する直線状の切込みであることを特徴とする、
請求項１に記載の容器。
【請求項５】
前記切込みは、
ミシン目状の切込みであることを特徴とする、
請求項１に記載の容器。
【請求項６】
前記切込みは、
前記蓋の一端から他端に向けて連続するミシン目状の切込みであることを特徴とする、
請求項１に記載の容器。
【請求項７】
前記切込みは、
前記蓋の一端から他端の間の一部において連続するミシン目状の切込みであることを特徴とする、
請求項１に記載の容器。
【請求項８】
前記切込みは、
コの字形状の切込みであることを特徴とする、
請求項１に記載の容器。
【請求項９】
２層のフィルムが積層されてなる蓋の外周とトレーの開口端とがヒートシールして形成され、
前記蓋の端部には、開封用の傷が形成されてなり、
前記トレーの内部に第１の内容物が収容され、
前記蓋の２層のフィルムの間に第２の内容物が収容されることを特徴とする
容器。
【請求項１０】
前記第１の内容物は食品であることを特徴とする、
請求項１乃至９のいずれかに記載の容器。
【考案の詳細な説明】
【技術分野】
【０００１】
本考案は食品等を収容する容器に関する。
【背景技術】
【０００２】
従来、めかぶや納豆等のたれをかけて食べる食品は、めかぶや納豆等の主内容物とたれを別の容器または袋に収容して販売されることが多い。
【０００３】
すなわち、主内容物を入れている容器の中に、たれを封入した袋を一緒に入れて販売することがほとんどである。
【０００４】
このような食品を購入した消費者は、主内容物を食べる直前にたれを封入した袋を開封して、主内容物にかけて食べることとなる。
【考案の開示】
【考案が解決しようとする課題】
【０００５】
しかしながら、容器内に主内容物とたれを封入した袋を一緒に入れた場合、主内容物の一部がたれを封入した袋に付着する。
【０００６】
このため、たれを封入した袋を開封し、主内容物にかけるときに、たれを封入した袋を触る消費者の手にも主内容物の一部が付着してしまうという問題があった。
【０００７】
特に、主内容物に粘着性の物質が含まれる場合には、それが手に付着することを嫌がる消費者が多く、大きな問題となっていた。
【０００８】
さらに、たれを封入した袋に主内容物の一部が付着していると、手が滑って袋を開封するのが困難になるという問題があった。
【０００９】
また、主内容物を入れる容器内にたれを封入した袋を一緒に入れるのではなく、分けて収容する容器も存在するが、このような容器は、製造や内容物の封入に手間がかかるだけでなく、たれを封入した袋または主内容物を取り出しにくいという問題があった。
【００１０】
本考案は、斯かる実情に鑑み、めかぶや納豆等のたれをかけて食べる食品を収容する容器において、めかぶや納豆等の主内容物とたれを封入した袋を非接触としながらも、たれを封入した袋または主内容物を容易に取り出すことができる容器を提供しようとするものである。
【課題を解決するための手段】
【００１１】
（１）本考案は、２層のフィルムが積層されてなる蓋の外周とトレーの開口端とがヒートシールして形成され、前記蓋の２層のフィルムの少なくとも一方には、切込みが形成されてなり、前記トレーの内部に第１の内容物が収容され、前記蓋の２層のフィルムの間に第２の内容物が収容されることを特徴とする容器である。
【００１２】
（２）本考案はまた、前記切込みは、直線状の切込みであることを特徴とする、
前記（１）に記載の容器である。
【００１３】
（３）本考案はまた、前記切込みは、前記蓋の一端から他端に向けて連続する直線状の切込みであることを特徴とする、前記（１）に記載の容器である。
【００１４】
（４）本考案はまた、前記切込みは、前記蓋の一端から他端の間の一部において連続する直線状の切込みであることを特徴とする、前記（１）に記載の容器である。
【００１５】
（５）本考案はまた、前記切込みは、
ミシン目状の切込みであることを特徴とする、前記（１）に記載の容器である。
【００１６】
（６）本考案はまた、前記切込みは、前記蓋の一端から他端に向けて連続するミシン目状の切込みであることを特徴とする、前記（１）に記載の容器である。
【００１７】
（７）本考案はまた、前記切込みは、前記蓋の一端から他端の間の一部において連続するミシン目状の切込みであることを特徴とする、前記（１）に記載の容器である。
【００１８】
（８）本考案はまた、前記切込みは、コの字形状の切込みであることを特徴とする、前記（１）に記載の容器である。
【００１９】
（９）本考案はまた、２層のフィルムが積層されてなる蓋の外周とトレーの開口端とがヒートシールして形成され、前記蓋の端部には、開封用の傷が形成されてなり、前記トレーの内部に第１の内容物が収容され、前記蓋の２層のフィルムの間に第２の内容物が収容されることを特徴とする容器である。
【００２０】
（１０）本考案はまた、前記第１の内容物は食品であることを特徴とする、前記（１）乃至（９）のいずれかに記載の容器である。
【考案の効果】
【００２１】
本考案に係る容器によれば、めかぶや納豆等のたれをかけて食べる食品を収容する容器において、めかぶや納豆等の主内容物とたれを封入した袋等の副内容物を接触させずに収容することができるという優れた効果を奏し得る。
【００２２】
また、主内容物と副内容物を別々に収容しながらも、主内容物または副内容物を、消費者の手を煩わせることなく容易に取り出すことができるという優れた効果を奏し得る。
【考案を実施するための最良の形態】
【００２３】
【実施例１】
【００２４】
図１（ａ）〜（ｄ）は、本実施例１に係る容器１００の外観を示す平面図（ａ）、側面図（ｂ）および底面図（ｃ）ならびに断面図（ｄ）である。
【００２５】
同図に示されるように、容器１００は、トレー１１０と、蓋１２０からなり、トレー１１０の開口端と蓋１２０の外周がヒートシールされることでトレー１１０の内部は密閉されている。
【００２６】
トレー１１０は、平面視が略正方形状で、側面視が略逆台形状であり、上方に開口して下方に突出する窪みを有する。トレー１１０は、この窪みの中に主内容物１０を収容する。
【００２７】
ここで、主内容物１０の例としては、めかぶ、もずく、納豆、もつ煮、寒天、ところてんまたは葛餅等を挙げることができる。
【００２８】
また、トレー１１０は、開口端の全周にわたって外側に広がる鍔状のヒートシール部１１２を有する。
【００２９】
蓋１２０は、平面視が略正方形状の、外部フィルム１２２と内部フィルム１２４が積層されたものである。
【００３０】
蓋１２０は、トレー１１０とヒートシールされるときに、外部フィルム１２２と内部フィルム１２４の外周部も同時にヒートシールされるため、外部フィルム１２２と内部フィルム１２４の間に略密閉された空隙が形成されている。すなわち、外部フィルム１２２と内部フィルム１２４は、外周をヒートシールされた袋を構成している。
【００３１】
そして、蓋１２０は、この空隙に副内容物２０を収容する。
【００３２】
ここで、副内容物２０の例としては、醤油もしくはたれ等の液体調味料、胡椒もしくは七味唐辛子等の粉末調味料、きな粉またはふりかけ等を封入した袋等を挙げることができる。また、副内容物２０は、説明書、おまけまたはくじ等の食品以外のものであってもよい。
【００３３】
また、蓋１２０の１つの角部には、舌状のタブ１２６が外側に向かって形成されている。このタブ１２６は、蓋１２０をトレー１１０から剥がすときに、使用される。
【００３４】
さらに、蓋１２０の外部フィルム１２２には、一端から他端に向けて連続する直線状の開封用切込み１２８が形成されている。
【００３５】
この開封用切込み１２８は、図１（ａ）に示す形状に限定されるものではない。
【００３６】
図２（ａ）〜（ｌ）は、開封用切込み１２８の形状のいくつかの例を示す平面図である。
【００３７】
同図に示されるように、開封用切込み１２８は、一端の中央から対向する他端の中央に向けて連続する直線状（ａ）であってもよいし、一端の角部近傍から対向する他端の角部近傍に向けて連続する直線状（ｂ）であってもよいし、一の角部から対向する他の角部に向けて連続する直線状（ｃ）であってもよいし、一端から直交する他端に向けて斜めに連続する直線状（ｄ）であってもよい。
【００３８】
また、開封用切込み１２８は、一端から他端に向けて連続するのではなく、一端から他端の間の一部において連続する直線状であってもよい（ｅ）、（ｆ）。
【００３９】
さらに、開封用切り込みは、直線状ではなく、ミシン目状であってもよい（ｇ）〜（ｌ）。
【００４０】
なお、開封用切込み１２８の形状が、図２（ａ）〜（ｌ）に示す形状のみに限定されるものではないことは言うまでもなく、曲線状や環状等でもよい。すなわち、開封用切込み１２８は、指で容易に開封できる形状であればよい。
【００４１】
次に、本実施例１に係る容器１００の作用について説明する。
【００４２】
図３（ａ）〜（ｄ）は、蓋１２０から副内容物２０を取り出して、蓋１２０をトレー１１０から剥がす様子を示す断面図である。
【００４３】
同図（ａ）に示されるように、容器１００は、トレー１１０内に商品である主内容物１０を収容し、蓋１２０の外部フィルム１２２と内部フィルム１２４の間に副内容物２０を収容して販売される。
【００４４】
そして、これを購入した消費者は、主内容物１０と副内容物２０の両方を取り出す必要がある。
【００４５】
まず、同図（ｂ）に示されるように、開封用切込み１２８の隙間から指を挿入し外部フィルム１２２の右半分をつまんで上方に引っ張り、外部フィルム１２２の右半分を内部フィルム１２４から剥がす。
【００４６】
すると、同図（ｃ）に示されるように、外部フィルム１２２と内部フィルム１２４の間の空隙が大きく開口するので、そこから副内容物２０を取り出す。
【００４７】
そして、タブ１２６をつまんで上方に引っ張り、同図（ｄ）に示されるように、蓋１２０全体をトレー１１０から剥がす。
【００４８】
図４（ａ）〜（ｄ）は、蓋１２０をトレー１１０から剥がしてから、副内容物２０を取り出す様子を示す断面図である。
【００４９】
まず、同図（ａ）に示されるように、タブ１２６をつまんで上方に引っ張り、同図（ｂ）に示されるように、蓋１２０をトレー１１０から剥がす。
【００５０】
そして、同図（ｃ）に示されるように、開封用切込み１２８の隙間から指を挿入し外部フィルム１２２の右半分をつまんで上方に引っ張り、外部フィルム１２２の右半分を内部フィルム１２４から剥がして、同図（ｄ）に示されるように、副内容物２０を取り出す。
【００５１】
このように、容器１００は、副内容物２０を取り出してから蓋１２０をトレー１１０から剥がすことも、蓋１２０をトレー１１０から剥がしてから副内容物２０を取り出すことも、どちらも可能である。
【００５２】
以上のようにして、容器１００は、誰でも簡単に主内容物１０および副内容物２０を取り出すことができ、主内容物１０の一部が手に付着するようなこともない。
【００５３】
特に、蓋１２０の外部フィルム１２２に開封用切込み１２８を形成したことによって、副内容物２０の取出しが容易になっている。
【００５４】
また、この開封用切込み１２８は外部フィルム１２２のみに形成され、内部フィルム１２４には形成されていないため、トレー１１０内部の密閉性は、内部フィルム１２４によって確保されている。このため、開封を容易にするためにトレー１１０の密閉性が損われてしまうといったようなことはない。
【００５５】
また、副内容物２０は、蓋１２０の外部フィルム１２２と内部フィルム１２４の間に確実に保持されるため、運搬時や保管時に、副内容物２０が容器１００から離れて逸失してしまうようなことはない。
【００５６】
次に、本実施例１に係る容器１００の製造方法について説明する。
【００５７】
図５は、本実施例１に係る容器１００の製造装置５００の一例を示す概略図である。
【００５８】
製造装置５００は、トレー１１０および容器１００を搬送するコンベア５１０と、外部フィルム１２２および内部フィルム１２４を連続して供給するフィルム供給部５２０と、外部フィルム１２２に開封用切込み１２８を加工する切込み加工部５３０と、トレー１１０と外部フィルム１２２および内部フィルム１２４をヒートシールして容器１００を形成するヒートシール加工部５４０と、形成された容器１００から外部フィルム１２２および内部フィルム１２４を切り離す切断部５５０と、を有して構成される。
【００５９】
容器１００の製造方法は、まず、主内容物１０を収容したトレー１１０がコンベア５１０によりヒートシール加工部５４０近傍まで搬送される。
【００６０】
同時に、外部フィルム１２２および内部フィルム１２４がヒートシール加工部５４０まで連続して搬送される。
【００６１】
このとき、外部フィルム１２２は、搬送される途中で切込み加工部５３０により切り込みを加工される。また、内部フィルム１２４は、搬送される途中で、副内容物２０が上面に載置される。
【００６２】
そして、外部フィルム１２２および内部フィルム１２４は、間に副内容物２０を挟んで積層された状態で、ヒートシール加工部５４０近傍のトレー１１０の上方へ供給される。
【００６３】
次に、ヒートシール加工部５４０は、トレー１１０と内部フィルム１２２および外部フィルム１２４をヒートシールする。すなわち、トレー１１０のヒートシール部１１２と内部フィルム１２４の外周をヒートシールするのと同時に、内部フィルム１２４の外周と外部フィルム１２２の外周をヒートシールする。これにより容器１００が形成される。
【００６４】
しかしまだ、連続して供給される外部フィルム１２２および内部フィルム１２４と容器１００は繋がったままなので、最後に切断部５５０が両者を切り離す。
【００６５】
以上のようにして、主内容物１０をトレー１１０内に収容すると共に、外部フィルム１２２と内部フィルム１２４の間に副内容物２０を収容して、外部フィルム１２２に開封用切込み１２８が形成されている容器１００が製造される。
【実施例２】
【００６６】
次に、本考案の実施例２に係る容器２００について説明する。
【００６７】
本実施例２に係る容器２００は、実施例１に係る容器１００において、開封用切込み１２８の代わりに開封用切込み２２８を適用したものであり、その他の部分および製造方法については同一である。よって、その他の部分および製造方法については、同一の符号を付すと共に、その説明を省略する。
【００６８】
図６（ａ）〜（ｄ）は、本実施例２に係る容器２００の外観を示す平面図（ａ）、側面図（ｂ）および底面図（ｃ）ならびに断面図（ｄ）である。
【００６９】
同図に示されるように、容器２００は、外部フィルム１２２の一端近傍にコの字形状の開封用切込み２２８が形成されており、その他は、容器１００と同一である。
【００７０】
この開封用切込み２２８は、外部フィルム１２２をコの字形状に切断することにより、この切込みが囲む内部に、指でつまむことができる舌状の第２タブ２２９を形成している。
【００７１】
次に、本実施例２に係る容器２００の作用について説明する。
【００７２】
図７（ａ）〜（ｄ）は、蓋１２０から副内容物２０を取り出して、蓋１２０をトレー１１０から剥がす様子を示す断面図である。
【００７３】
同図（ａ）に示されるように、容器１００は、トレー１１０内に商品である主内容物１０を収容し、蓋１２０の外部フィルム１２２と内部フィルム１２４の間に副内容物２０を収容している。
【００７４】
まず、同図（ｂ）に示されるように、開封用切込み２２８の隙間から指を挿入し、第２タブ２２９をつまんで上方に引っ張り、外部フィルム１２２を引き裂きつつ、外部フィルム１２２の右半分を内部フィルム１２４から剥がす。
【００７５】
すると、同図（ｃ）に示されるように、外部フィルム１２２と内部フィルム１２４の間の空隙が大きく開口するので、そこから副内容物２０を取り出す。
【００７６】
そして、タブ１２６をつまんで上方に引っ張り、同図（ｄ）に示されるように、蓋１２０全体をトレー１１０から剥がす。
【００７７】
以上のようにして、容器２００は、誰でも簡単に主内容物１０および副内容物２０を取り出すことができ、主内容物１０の一部が手に付着するようなこともない。
【００７８】
特に、蓋１２０の外部フィルム１２２にコの字形状の開封用切込み２２８を形成して、指でつまみやすい第２タブ２２９を形成したことにより、この第２タブ２２９をつまんで、外部フィルム１２２の一部を内部フィルム１２４から容易に剥がすことができる。これにより、副内容物２０の取出しが容易になっている。
【００７９】
なお、容器２００においても、まず蓋１２０全体をトレー１１０から剥がしてから、外部フィルム１２２の一部を内部フィルム１２４から剥がし、副内容物２０を取り出すことができるのは、言うまでもない。
【実施例３】
【００８０】
次に、本考案の実施例３に係る容器３００について説明する。
【００８１】
本実施例３に係る容器３００は、実施例１に係る容器１００において、開封用切込み１２８の代わりに開封用ノッチ３２８を適用したものであり、その他の部分および製造方法については同一である。よって、その他の部分および製造方法については、同一の符号を付すと共に、その説明を省略する。
【００８２】
図８（ａ）〜（ｄ）は、本実施例３に係る容器３００の外観を示す平面図（ａ）、側面図（ｂ）および底面図（ｃ）ならびに断面図（ｄ）である。
【００８３】
同図に示されるように、容器３００は、外部フィルム１２２および内部フィルム１２４の一端にＶの字形状の切込みである開封用ノッチ３２８が形成されており、その他は、容器１００と同一である。
【００８４】
次に、本実施例３に係る容器３００の作用について説明する。
【００８５】
図９（ａ）〜（ｃ）は、蓋１２０をトレー１１０から剥がしてから、副内容物２０を取り出す様子を示す断面図である。
【００８６】
まず、同図（ａ）に示されるように、タブ１２６をつまんで上方に引っ張り、蓋１２０をトレー１１０から剥がす。
【００８７】
そして、同図（ｂ）に示されるように、開封用ノッチ３２８を起点にして、外部フィルム１２２および内部フィルム１２４をまとめて引き裂き、蓋１２０を２つに分割し、同図（ｃ）に示されるように副内容物２０を取り出す。
【００８８】
以上のようにして、容器３００は、誰でも簡単に主内容物１０および副内容物２０を取り出すことができ、主内容物１０の一部が手に付着するようなこともない。
【００８９】
特に、蓋１２０の一端にＶの字形状の開封用ノッチ３２８を形成したことにより、この開封用ノッチ３２８を起点にして、蓋１２０を容易に２つに引き裂くことができる。これにより、副内容物２０の取出しが容易になっている。
【００９０】
なお、本考案に係る容器は、上記した実施の形態に限定されるものではなく、本考案の要旨を逸脱しない範囲内において種々変更を加え得ることは勿論である。
【００９１】
例えば、容器の形状は平面視が多角形状であってもよいし、円形状であってもよい。また側面視が、長方形状であってもよいし、半円形状であってもよい。
【００９２】
また、開封用切込み１２８、２２８は、外部フィルム１２２に形成されるのではなく内部フィルム１２４に形成されてもよいし、外部フィルム１２２および内部フィルム１２４の両方に形成されていてもよい。
【００９３】
また、開封用切込み１２８および開封用切込み２２８は、併用されてもよいし、さらに、両者と、または両者のいずれかと開封用ノッチ３２８が併用されてもよい。
【００９４】
また、開封用ノッチ３２８の形状は、Ｖの字形状に限定されるものではなく、例えば、Ｉの字形状であってもよい。
【００９５】
また、開封用ノッチ３２８は、Ｖの字形状やＩの字形状のはっきりと視認できるものでなくてもよく、蓋１２０の端面または端面近傍に形成された多数の細かい傷や、多数の切込み等であってもよい。
【００９６】
また、開封用切込１２８、２２８は、外部フィルム１２２および内部フィルム１２４を引き剥がすためだけに用いられるのに限定されるものではない。すなわち、開封用切込み１２８、２２８において、外部フィルム１２２および内部フィルム１２４をたわませて開口部を作り、副内容物２０を取り出してもよい。
【００９７】
また、副内容物２０はたれを封入した袋に限定されるものではなく、例えばたれ自体を外部フィルム１２２と内部フィルム１２４の間の空隙に直接封入するようにしてもよい。
【００９８】
また、主内容物１０および副内容物２０は食品に限定されるものではないことは言うまでもない。
【産業上の利用可能性】
【００９９】
本考案に係る容器は、食品等を収容する容器の分野において特に利用することができる。
【図面の簡単な説明】
【０１００】
【図１】本考案の実施例１に係る容器１００の外観を示す平面図（ａ）、側面図（ｂ）および底面図（ｃ）ならびに断面図（ｄ）である。
【図２】（ａ）〜（ｌ）本実施例１に係る容器１００の開封用切込み１２８の形状のいくつかの例を示す平面図である。
【図３】（ａ）〜（ｄ）本実施例１に係る容器１００において、蓋１２０から副内容物２０を取り出して、蓋１２０をトレー１１０から剥がす様子を示す断面図である。
【図４】（ａ）〜（ｄ）本実施例１に係る容器１００において、蓋１２０をトレー１１０から剥がしてから、副内容物２０を取り出す様子を示す断面図である。
【図５】本実施例１に係る容器１００の製造装置５００の一例を示す概略図である。
【図６】本考案の実施例２に係る容器２００の外観を示す平面図（ａ）、側面図（ｂ）および底面図（ｃ）ならびに断面図（ｄ）である。
【図７】（ａ）〜（ｄ）本実施例２に係る容器２００において、蓋１２０から副内容物２０を取り出して、蓋１２０をトレー１１０から剥がす様子を示す断面図である。
【図８】本考案の実施例３に係る容器３００の外観を示す平面図（ａ）、側面図（ｂ）および底面図（ｃ）ならびに断面図（ｄ）である。
【図９】（ａ）〜（ｃ）本実施例３に係る容器３００において、蓋１２０をトレー１１０から剥がしてから、副内容物２０を取り出す様子を示す断面図である。
【符号の説明】
【０１０１】
１００・・・容器
１１０・・・トレー
１２０・・・蓋
１２２・・・外部フィルム
１２４・・・内部フィルム
１２８、２２８・・・開封用切込み
３２８・・・開封用ノッチ
【図１】
0003127633.tif 000003
【図２】
0003127633.tif 000004
【図３】
0003127633.tif 000005
【図４】
0003127633.tif 000006
【図５】
0003127633.tif 000007
【図６】
0003127633.tif 000008
【図７】
0003127633.tif 000009
【図８】
0003127633.tif 000010
【図９】
0003127633.tif 000011